(57)【要約】【課題】  間違った撮影モードを選択したまま撮影を行うことを防ぎ、且つ所定の撮影モードで撮影したことを認識可能とする。【解決手段】レンズ付きフイルムユニット２の前面には撮影レンズ５，ファインダ６，モード表示部７，撮影モード選択部８等が、上面にはレリーズボタン９，カウンタ表示窓１０等が設けられている。撮影モード選択部８は、操作開口１４と、操作部材１５とからなる。操作部材１５を指標１９ａに合わせると第１撮影モードが選択される。このときモード表示部７の奥に位置する表示ランプ１７は発光しない。操作部材１５を指標１９ｂに合わせると第２撮影モードが選択され、表示ランプ１７が発光する。さらにこの第２撮影モード下でレリーズボタン９を押圧すると、表示ランプ１７が点滅する。【選択図】        図１
2006126769.tif 000002
【特許請求の範囲】
【請求項１】
フラッシュ装置と、このフラッシュ装置による発光の有無を含む露出設定の異なる複数の撮影モード間で切り替え可能な露出制御手段と、この露出制御手段の切り替え操作を行う操作部材とを備えたカメラにおいて、
前記複数の撮影モードのうち、フラッシュ装置の発光を行わないフラッシュ不使用撮影モードが選択されたとき、シャッタレリーズに連動して点滅する発光手段を備えたことを特徴とするカメラ。
【請求項２】
露出設定の異なる複数の撮影モード間で切り替え可能な露出制御手段と、この露出制御手段の切り替え操作を行う操作部材とを備え、且つフラッシュ装置を内蔵しないカメラにおいて、
前記複数の撮影モードのうちのいずれか１つを選択したときに、前記操作部材の切り替え操作に連動して発光又は点滅する発光手段を備えたことを特徴とするカメラ。
【請求項３】
前記発光手段は、シャッタレリーズに連動して点滅することを特徴とする請求項２記載のカメラ。
【請求項４】
前記発光手段は、前記複数の撮影モードのうち、標準撮影用に設定された標準撮影モード以外の撮影モードが選択されたときに発光又は点滅することを特徴とする請求項１ないし３いずれか記載のカメラ。
【請求項５】
前記発光手段は、前記複数の撮影モードのうち、標準撮影用に設定された標準撮影モード以外で、且つフラッシュ装置の発光を行わない非標準撮影モードが選択されたときに点滅することを特徴とする請求項１ないし４いずれか記載のカメラ。
【請求項６】
前記複数の撮影モードのうち、標準撮影用に設定された標準撮影モード以外の非標準撮影モードが複数設定されており、前記発光手段は、前記非標準撮影モードのいずれかが選択されたときに、その選択されたモードに応じて異なる点滅回数で点滅を行うことを特徴とする請求項１ないし５いずれか記載のカメラ。
【請求項７】
前記複数の撮影モードのうち、標準撮影用に設定された標準撮影モード以外の非標準撮影モードが複数設定されており、前記発光手段は、複数の光源から構成されており、前記非標準撮影モードのいずれかが選択されたときに、その選択されたモードに応じて点滅する前記光源の個数を切り換えることを特徴とする請求項１ないし５いずれか記載のカメラ。
【請求項８】
前記複数の撮影モードのうち、標準撮影用に設定された標準撮影モード以外の非標準撮影モードが複数設定されており、前記発光手段は、複数の異なる光源から構成されており、前記非標準撮影モードのいずれかが選択されたときに、その選択されたモードに応じて点滅する前記光源の種類を切り換えることを特徴とする請求項１ないし５いずれか記載のカメラ。
【請求項９】
前記標準撮影モードは、日中屋外の晴天時に適した露出設定の日中屋外晴天時撮影モードであることを特徴とする請求項５ないし８いずれか記載のカメラ。
【請求項１０】
前記フラッシュ不使用撮影モードまたは前記非標準撮影モードを選択すると、前記発光手段が発光状態となり、シャッタレリーズに連動して発光状態から点滅状態に切り換わることを特徴とする請求項４ないし９いずれか記載のカメラ。
【請求項１１】
前記発光手段は、撮影者側及び被写体側の両方から視認可能な位置に設けられていることを特徴とする請求項１ないし１０いずれか記載のカメラ。
【請求項１２】
前記発光手段は、撮影者側から視認可能な位置と、被写体側から視認可能な位置とにそれぞれ設けられていることを特徴とする請求項１ないし１０いずれか記載のカメラ。
【発明の詳細な説明】
【技術分野】
【０００１】
本発明は、露出設定の異なる複数の撮影モードを選択可能な簡易型のカメラに関するものである。
【背景技術】
【０００２】
ピント調節機構などを省略、又は簡略化して安価に提供される簡易型のカメラが市販されている。また、製造時に予め写真フイルムが装填されており、巻き戻し操作や写真フイルムパトローネの取り出しという面倒な操作を行うことなく、撮影終了後にそのまま現像取扱店に提出すれば、現像済みの写真フイルムとプリント写真とを受け取ることができる１回のみ使用可能な安価なカメラであるレンズ付きフイルムユニットが市販されている。このような安価カメラやレンズ付きフイルムユニットとしては、フラッシュ装置、例えばストロボ装置を搭載し、暗い室内などでも撮影を行うことができるようにしたストロボ内蔵型もある。
【０００３】
一方、撮影条件に応じた撮影モードを選択することにより、日中屋外等の明るい場所から暗い場所までの撮影に対応したモード切替型のものある（例えば、特許文献１）。さらに、モード切替型のレンズ付きフイルムユニットでは、高感度の写真フイルムを用いたものが知られており、この高感度の写真フイルムを用いることによって、室内や夜間の暗い場所での撮影において、背景の描写を向上させている。このようなモード切替型、且つ高感度の写真フイルムが装填されたものとしては、本出願により製造・販売されているレンズ付きフイルムユニット「Ｎｉｇｈｔ＆Ｄａｙ」が知られている。この切替型のレンズ付きフイルムユニットでは、例えば、日中屋外などの明るい場所の撮影では日中撮影モードとして、高速なシャッタ速度と小絞りに設定され、夜景や暗い室内を背景にして撮影する場合には夜間室内撮影モードとして、低速なシャッタ速度と大絞りに設定されている。
【０００４】
上述したようなモード切替型、及び高感度写真フイルムを用いたレンズ付きフイルムユニットでは、室内や夜間でも十分な背景描写及び主要被写体の露出を得ることができるため、フラッシュ装置を内蔵しなくても、周囲の雰囲気に合わせた的確な撮影を行うことが可能であり、最近では非フラッシュ装置内蔵型で、且つ日中撮影モード及び夜間室内撮影モードを切替可能なレンズ付きフイルムユニットが提案されている。
【特許文献１】特開２００３−３４４９１４
【発明の開示】
【発明が解決しようとする課題】
【０００５】
しかしながら、このようなモード切替型、及び高感度写真フイルムを用いたレンズ付きフイルムユニットでは、従来のストロボ内蔵型のもののように、ストロボ発光の有無により撮影モードの違いを認識できない、すなわち、現在選択されているのがどちらの撮影モードなのかを認識できないまま撮影を行ってしまうことがある。これにより、例えば日中であるにもかかわらず夜間室内撮影モードもまま撮影してしまったり、逆に室内であるにもかかわらず日中撮影モードで撮影してしまったりして、周囲の状況に露出設定が合わない撮影をして失敗したのにもかかわらず、それに気付かないという問題が発生する。
【０００６】
また、ストロボ内蔵型のレンズ付きフイルムユニットでも、露出設定の異なる複数の撮影モードを切り換えるモード切替型のものがあり、この場合、ストロボ発光が有ればその撮影モードは認識できるが、ストロボ発光の無い撮影モードでは、やはり現在選択されている撮影モードが分からずに撮影を行ってしまうことがある。
【０００７】
本発明は、上記問題点を解決するためのもので、周囲の撮影条件と合わない撮影モードを選択したまま撮影を行うことを防ぎ、さらに所定の撮影モードで撮影したことを認識可能な簡易型のカメラを提供することを目的とする。
【課題を解決するための手段】
【０００８】
上記問題点を解決するために、本発明のカメラは、本発明のカメラは、フラッシュ装置と、このフラッシュ装置による発光の有無を含む露出設定の異なる複数の撮影モード間で切り替え可能な露出制御手段と、この露出制御手段の切り替え操作を行う操作部材とを備え、且つフラッシュ装置を内蔵しないカメラにおいて、前記複数の撮影モードのうち、フラッシュ装置の発光を行わないフラッシュ不使用撮影モードが選択されたとき、シャッタレリーズに連動して点滅する発光手段を備えたことを特徴とする。
【０００９】
また、本発明のカメラは、未露光の高感度写真フイルムが予め装填され、露出設定の異なる複数の撮影モード間で切り替え可能な露出制御手段と、この露出制御手段の切り替え操作を行う操作部材とを備え、且つフラッシュ装置を内蔵しないカメラにおいて、前記複数の撮影モードのうちのいずれか１つを選択したときに、前記操作部材の切り替え操作に連動して発光を開始する発光手段を備えたことを特徴とする。
【００１０】
なお、前記発光手段は、シャッタレリーズに連動して点滅することが好ましい。また、前記発光手段は、前記複数の撮影モードのうち、標準撮影用に設定された標準撮影モード以外の撮影モードが選択されたときに発光することが好ましい。
【００１１】
なお、前記発光手段は、前記複数の撮影モードのうち、標準撮影用に設定された標準撮影モード以外で、且つフラッシュ装置の発光を行わない非標準撮影モードが選択されたときに点滅することが好ましい。また、前記複数の撮影モードのうち、標準撮影用に設定された標準撮影モード以外の非標準撮影モードが複数設定されており、前記発光手段は、前記非標準撮影モードのいずれかが選択されたときに、その選択されたモードに応じて異なる点滅回数で点滅を行うことが好ましい。さらにまた、前記複数の撮影モードのうち、標準撮影用に設定された標準撮影モード以外の非標準撮影モードが複数設定されており、前記発光手段は、複数の光源から構成されており、前記非標準撮影モードのいずれかが選択されたときに、その選択されたモードに応じて点滅する前記光源の個数を切り換えることが好ましい。あるいは、前記複数の撮影モードのうち、標準撮影用に設定された標準撮影モード以外の非標準撮影モードが複数設定されており、前記発光手段は、複数の異なる光源から構成されており、前記非標準撮影モードのいずれかが選択されたときに、その選択されたモードに応じて点滅する前記光源の種類を切り換えることが好ましい。
【００１２】
また、前記標準撮影モードは、日中屋外の晴天時に適した露出設定の日中屋外晴天時撮影モードであることが好ましい。あるいは、前記フラッシュ不使用撮影モードまたは前記非標準撮影モードを選択すると、前記発光手段が発光状態となり、シャッタレリーズに連動して発光状態から点滅状態に切り換わることが好ましい。
【００１３】
さらにまた、前記発光手段は、撮影者側及び被写体側の両方から視認可能な位置に設けられていることが好ましい。あるいは、前記発光手段は、撮影者側から視認可能な位置と、被写体側から視認可能な位置とにそれぞれ設けられているが好ましい。
【発明の効果】
【００１４】
本発明のカメラによれば、複数の撮影モードのうち、フラッシュ装置の発光を行わないフラッシュ不使用撮影モードが選択されたとき、シャッタレリーズに連動して点滅する発光手段を備えているので、フラッシュ発光のない撮影モードが選択されたときでも、撮影モードを認識させ、周囲の撮影条件と合わない撮影モードを選択したまま撮影を行うことを防ぐことができる。
【００１５】
また、本発明のカメラによれば、複数の撮影モードのうちのいずれか１つを選択したときに、操作部材の切り替え操作に連動して発光を開始する発光手段を備えているので、フラッシュ装置を内蔵していなくても、周囲の撮影条件と合わない撮影モードを選択したまま撮影を行うことを防ぐことができる。
【００１６】
さらに、シャッタレリーズに連動して発光手段が点滅する構成としているので、所定の撮影モードで撮影したことが認識可能となっている。
【００１７】
また、複数の撮影モードのうち、標準撮影用に設定された標準撮影モード以外で、且つフラッシュ装置の発光を行わない非標準撮影モードが選択されたときに発光手段を点滅させることや、複数の撮影モードのうち、標準撮影用に設定された標準撮影モード以外の非標準撮影モードが複数設定されており、この非標準撮影モードのいずれかが選択されたときに、その選択されたモードに応じて異なる点滅回数で発光手段の点滅を行うことや、発光手段を複数の光源から構成し、非標準撮影モードのいずれかが選択されたときに、その選択されたモードに応じて点滅する光源の個数を切り換えることや、発光手段を複数の異なる光源から構成し、非標準撮影モードのいずれかが選択されたときに、その選択されたモードに応じて点滅する光源の種類を切り換えることによって、撮影モードの認識をさらに確実に行うことが可能となる。
【００１８】
なお、標準撮影モードを日中屋外の晴天時に適した露出設定の日中屋外晴天時撮影モードとすることや、前記フラッシュ不使用撮影モードまたは前記非標準撮影モードを選択すると、前記発光手段が発光状態となり、シャッタレリーズに連動して発光状態から点滅状態に切り換わることで、撮影モードの認識をさらに効果的に行うことができる。
【００１９】
さらにまた、前記発光手段は、撮影者側及び被写体側の両方から視認可能な位置に設けられていることや、あるいは、前記発光手段は、撮影者側から視認可能な位置と、被写体側から視認可能な位置とにそれぞれ設けられていることによって、撮影者又は被写体側の人物に対して撮影モードの認識をさらに確実に行うことができる。
【発明を実施するための最良の形態】
【００２０】
本発明の第１実施形態を実施したレンズ付きフイルムユニットの外観形状を図１および図２に示す。なお、図１は第１撮影モード（日中撮影モード）の状態を、図２は第２撮影モード（夜間室内モード）の状態をそれぞれ示している。レンズ付きフイルムユニット２は、各種撮影機構が組み込まれたユニット本体３と、このユニット本体３の製造時に装填されたフイルムパトローネと、ユニット本体３の外周に巻き付けられるようにして貼付されるラベル４とからなる。ラベル４には、ユニット本体３の各部を露呈させるための開口が形成されている。
【００２１】
このレンズ付きフイルムユニット２には、ストロボ装置が搭載されていない。本発明は、フラッシュ装置を備えていないレンズ付きフイルムユニットであり、フラッシュ装置とは、ストロボ装置の他、被写体に向けて露出補助光を照射する各種光源装置を含む。
【００２２】
ユニット本体３の前面には、撮影レンズ５，ファインダ６，モード表示部７，撮影モード選択部８等が設けられている。ユニット本体３の上面には、レリーズボタン９，カウンタ表示窓１０等が設けられている。ユニット本体３の背面からは、撮影後のフイルム巻き上げに用いられる巻上げノブ１２の一部が露呈されている。
【００２３】
撮影モード選択部８は、ユニット本体３の前面に形成された操作開口１４と、この操作開口１４から突出する操作部材１５とからなる。操作開口１４は、ユニット本体３の前面に設けられた略円盤状の化粧板１６の外周面１６ａに沿ってスリット状に形成されている。また、この化粧板１６の付近には、指標１９ａ，１９ｂが形成されている。操作部材１５は、操作開口１４に沿って回動自在であり、指標１９ａに合わせた第１操作位置、及び指標１９ｂに合わせた第２操作位置の間で移動可能となっている。
【００２４】
レンズ付きフイルムユニット２は、操作部材１５が第１操作位置にある際に、小絞り及び高速シャッタの日中撮影モード（第１撮影モード）となる。また、操作部材１５が第２操作位置にある際には、大絞り及び低速シャッタの室内夜間撮影モード（第２撮影モード）となる。なお、第２撮影モードのときには、撮影モード表示部７の奥に設けられた後述する表示ランプ１７が点灯し、さらにこの第２撮影モード下でのシャッタレリーズが行われたときには、表示ランプ１７が点滅するように構成されている。
【００２５】
ユニット本体３の構成を図３の分解斜視図に示す。ユニット本体３は、１３５タイプのフイルムパトローネ２２が装填される本体基部２３と、この本体基部２３の前面側に取り付けられる発光ユニット２４と、撮影モードの切り替えを行う操作部材１５と、本体基部２３の前面側及び背面側に取り付けられる前カバー２６及び後カバー２７とからなる。
【００２６】
前カバー２６は、前カバー本体２８と、その前面に取り付けられる化粧板１６とからなる。化粧板１６は、その背面に形成された被係止爪１６aが、前カバー本体２８の係止穴２８ｂに係止されることにより固定される。前カバー本体２８と化粧板１６との間には、操作部材１５と一体に形成されたモード切替部材２９が取り付けられている。前カバー２６は、前カバー本体２８と、その前面に取り付けられる化粧板１６とから構成される。このモード切替部材２９は、撮影レンズ５の位置に合わせて前カバー本体２８に形成された円筒リブ２８ａと回動自在に嵌合し、化粧板１６に前面側から保持されて取り付けられる。また、モード切替部材２９の背面には、押圧ピン２９aが一体に形成されている。
【００２７】
フイルムパトローネ２２は、パトローネ２２aと、写真フイルム２２ｂとからなり、前述のように製造時に装填される。写真フイルム２２ｂとしては、フイルム感度がＩＳＯ３２００のものが用いられている。
【００２８】
本体基部２３の前面中央には、遮光筒３５が設けられている。この遮光筒３５の周囲には、シャッタチャージ機構，シャッタレリーズ機構，フイルム巻上げ機構，フイルム巻止機構，フイルムカウント機構，絞り切替機構，シャッタ速度切 替機構，撮影光学系，ファインダ光学系等が組み込まれている。
【００２９】
図4は、遮光筒３５の周囲に組み込まれたシャッタレリーズ機構，絞り切替機構，シャッタ速度切替機構，撮影光学系の構成を示す分解斜視図である。遮光筒３５の前面には、矩形状の露光開口３７が形成されている。遮光筒３５の側方には、シャッタ羽根３８を揺動自在に支持するピン３９と、バネ４０の一端が掛けられるピン４１とが設けられている。
【００３０】
シャッタ羽根３８は、ピン３９に挿通されて揺動自在に保持される穴４３ａが形成されたベース部４３と、露光開口３７の前方に配置されて開閉を行う羽根部４４と、ベース部４３と羽根部４４とを連結する連結部４５とからなる。ベース部４３には、バネ４０の他端が掛けられるピン４３ｂと、シャッタ駆動レバー４７によって蹴飛ばされる突出部４３ｃと、速度調節突起４３ｄと、後述する発光ユニット２４のシンクロスイッチ４８を動作させるシンクロ突起４３ｅとが設けられている。シャッタ羽根３８は、バネ４０に付勢されて露光開口３７を塞ぐ閉じ位置に保持されている。
【００３１】
シャッタ駆動レバー４７は、シャッタチャージ機構によって図中矢線A方向と逆方向に回動し、チャージ位置にセットされる。そしてレリーズボタン９の押圧動作に応答してチャージ解除位置に向けて矢線A方向に回動し、その際にシャッタ羽根３８の突出部４３ｃを蹴飛ばす。シャッタ駆動レバー４７に蹴飛ばされたシャッタ羽根３８は、バネ４０の付勢に抗して図中矢線A方向に回動し、露光開口３７を全開した後、バネ４０の付勢によって閉じ位置に復帰する。このとき、シャッタ羽根３８は、開き位置への回動時にシンクロ突起４３ｅでシンクロスイッチ４８の上部金属接片４８ａを押圧し、下部金属接片４８ｂに接触させる。一対の金属接片４８ａ，４８ｂが接触してシンクロスイッチ４８がＯＮ状態となる。
【００３２】
符号５６は、撮影レンズ５等を保持するレンズホルダである。レンズホルダ５６の上部には、ストップレバー４９を回動自在に支持する軸５０が形成されている。ストップレバー４９は、軸５０に支持されるボス５１と、このボス５１の側面から突出された２本のアーム５２，５３とからなり、一方のアーム５２の先端にパッド５２aが形成されている。
【００３３】
ストップレバー４９は、パッド５２aがシャッタ羽根３８の速度調節突起４３ｄの移動軌跡内に進入される高速シャッタ位置と、パッド５２aがその移動軌跡から退避される低速シャッタ位置との間で回動される。
【００３４】
図５に示すように、ストップレバー４９のパッド５２aが高速シャッタ位置にある際にシャッタレリーズが行われると、シャッタ羽根３８の速度調節突起４３ｄがパッド５２aに当接するため、シャッタ羽根３８は途中で回動が阻止される。これにより、短時間でシャッタ羽根３８が閉じ位置に復帰する。このときのシャッタ速度は、例えば１／１００秒のシャッタ速度に設定されており、これが第１撮影モードの高速シャッタのシャッタ速度となる。
【００３５】
図６に示すように、ストップレバー４９のパッド５２aが低速シャッタ位置にある際には、速度調節突起４３ｄがパッド５２aに当接しないで回動する。その結果、シャッタ羽根３８が閉じ位置に復帰するまでの時間が長くなって、シャッタ速度が遅くなる。このときのシャッタ速度は、例えば１／４５秒のシャッタ速度に設定されており、これが第２撮影モードの低速シャッタのシャッタ速度となる。
【００３６】
図４に示すように、遮光筒３５の前方には、レンズホルダ５６が取り付けられる。レンズホルダ５６の前面中央には、略円筒形状の鏡筒５７が形成されている。鏡筒５７内には開口５８が形成されており、鏡筒５７の側面には切欠５９が形成されている。鏡筒５７内には、撮影レンズ５を構成する第１レンズ６０と第２レンズ６１とが収納される。これら第１レンズ６０と第２レンズ６１との間には、大絞り板６２、絞り切替板６３の挿入スペースを確保するスペーサ６４が配置される。レンズホルダ５６の前面には、撮影レンズ５などの部品と、鏡筒５７の外周に取り付けられた切替リング６８とが外れないように押さえ付ける押さえ板６５が取り付けられる。
【００３７】
大絞り板６２、絞り切替板６３、スペーサ６４、切替リング６８などにより絞り切替機構が構成される。大絞り板６２は、円形の薄板からなり、中央に絞り開口６２aが形成されている。絞り開口６２aは、第２撮影モードの絞りとなるものであり、本実施形態では絞り値がF４．０となるようにその直径が設定されている。
【００３８】
絞り切替板６３は、く字形状の薄板からなり、一端に大絞り開口６２aを塞ぐ大きさの小絞り部６３aが設けられ、この小絞り部６３aの中央に小径の絞り開口６３ｂが形成されている。絞り開口６３ｂは、第１撮影モードの絞りとなるものであり、本実施形態では絞り値がF１８となるようにその直径が設定されている。絞り切替板６３の他端には、穴６３ｃと屈曲された長穴６３ｄとが形成されている。穴６３ｃは、レンズホルダ５６の鏡筒５７の近傍に形成されたピン６６に挿通され、絞り切替板６３を揺動自在とする。
【００３９】
この絞り切替板６３は、小絞り部６３aを撮影光軸上に配置する小絞り位置と、小絞り部６３aを切欠５９から鏡筒５７の外に退避させ、大絞り開口６２aを露呈させる大絞り位置との間で回動される。
【００４０】
鏡筒５７の外周には、切替リング６８が回動自在に嵌入される。切替リング６８には、バネ７０の一端が掛けられるバネ掛けピン６８ａと、絞り切替板６３の長穴６３ｄに挿入されるリンクピン６８ｂと、ストップレバー４９のアーム５３を挟み込む一対の挟持ピン６８ｃと、外周から突出した従動突起６８ｄとが形成されている。
【００４１】
バネ７０の他端は、レンズホルダ５６の前面下部に形成されたピン７１に掛けられ、切替リング６８を図中矢線C方向に付勢する。なお、バネ７０によって付勢された切替リング６８は、絞り切替板６３によって所定の位置に保持される。
【００４２】
上述したように操作部材１５には、モード切替部材２９が一体に形成されており、このモード切替部材の背面側には、押圧ピン２９ａが一体に形成されている。操作部材１５が第１操作位置から第２操作位置に回動すると、押圧ピン２９ａが切替リング６８の従動ピン６８ｄを下方から押圧する。これにより切替リング６８は、バネ７０の付勢に抗して矢線Ｃ方向と逆方向に回動する。なお、押圧ピン２９aは、従動ピン６８ｄと当接するとともに、後述する押圧部材３０の従動溝３０ｂと嵌合する。
【００４３】
第１撮影モードにある際の切替リング６８の状態を図７に、第２撮影モードにある際の切替リング６８の状態を図８に示す。図７に示すように、操作部材１５が第１操作位置にある際には、操作部材１５の押圧ピン２９aは切替リング６８の従動ピン６８ｄに接触せず、切替リング６８は初期位置に保持される。
【００４４】
切替リング６８が初期位置にある際には、リンクピン６８ｂによって絞り切替板６３の小絞り部６３aは鏡筒５７内に挿入される。これにより、小絞り部６３aが大絞り開口６２aを塞いで小絞り状態となる。また、一対の挟持ピン６８ｃは、ストップレバー４９を高速シャッタ位置に保持している。
【００４５】
図８に示すように、操作部材１５が第１操作位置から第２操作位置へと回動されると、バネ７０の付勢に抗して押圧ピン２９aが従動ピン５６ｄを下方から押圧して切替リング６８を図中反時計方向に回動させる。この切替リング６８の回動により、リンクピン６８ｂに押圧された絞り切替板６３は、図中時計方向に回動し、小絞り部６３aが撮影光軸上から退避して大絞り状態となる。また、一対の挟持ピン６８ｃはストップレバー４９を回動させ、低速シャッタ位置にセットする。
【００４６】
発光ユニット２４は、発光ランプ１７、発光回路８０（図９参照）を構成する各種部品が実装される回路基板８１、シンクロスイッチ４８、発光スイッチ８３などから構成される。発光ランプ１７は、豆電球あるいは発光ダイオードなどが用いられる。
【００４７】
さらに、回路基板８１には、係合突起８４が設けられており、この係合突起８４に、押圧部材３０の係合溝３０aが係合する。係合溝３０aはレンズ付きフイルムユニット２の天地方向に沿ってスリット状に形成されており、この係合溝３０aに沿って押圧部材３０が回路基板８１に対して相対移動する。
【００４８】
この押圧部材３０には、さらに円弧状の従動溝３０ｂと、背面側から突出する押圧突起３０ｃが形成されている。従動溝３０ｂは上述したモード切替部材２９の押圧ピン２９aの後端部と嵌合する。これによってモード切替部材２９が第２撮影モードに位置している際には、押圧ピン２９aが従動溝３０ｂの上端部を押圧して押圧部材３０を上方の押圧位置（図８に示す位置）に移動させる。押圧位置に移動した押圧部材３０の押圧突起３０ｃは、発光スイッチ８３の金属接片８３aを接点８３ｂに接触させて後述する発光回路８０をオン状態にする。そしてモード切替部材２９が第１撮影モードに位置している際には、押圧ピン２９aが従動溝３０ｂの下端部に位置しており、押圧部材３０は発光スイッチ８３から離れた下方の退避位置（図７に示す位置）に位置しており、発光回路８０はオフ状態となる。
【００４９】
発光回路８０は、図９に示すように、上述した発光ランプ１７、シンクロスイッチ４８、発光スイッチ８３の他にコンデンサ８６、負荷抵抗８７、電源電池８８からなる。上述のように押圧部材３０が発光スイッチ８３を押圧してオン状態になると、電源電池８８からの電流が流れてコンデンサ８６に充電される。そして、コンデンサ８６の容量を満たす給電が行われると、コンデンサ８６への充電が終了して、発光ランプ１７へ電流が流れ込み、発光が開始される。
【００５０】
その後、上述したシャッタ羽根３８の蹴飛ばしにより、シンクロスイッチ４８がオン状態になると、コンデンサ８６から負荷抵抗８７へ電流が流れ出す。よって、コンデンサ８６に充電された電荷が減少するので、電源電池８８からの電流がコンデンサ８６に流れ込み、発光ランプ１７の発光が停止する。そして、コンデンサ８６が再度充電されると、発光ランプ７に電流が流れ込んで再度発光する。このようにシンクロスイッチ４８がオン状態になると、発光ランプ１７が点滅することとなり、その点灯時間および消灯時間は、コンデンサ８６および負荷抵抗８７の容量によって調節され、視認性の良い点滅時間が設定される。
【００５１】
上記構成の作用について以下に説明する。日中屋外などの明るい場所で撮影を行う場合には、操作部材１５を第１操作位置にして第１撮影モードで撮影を行う。操作部材１５が第１操作位置にされることにより、切替リング６８が初期位置となる。また、切替リング６８が初期位置となることにより、絞り切替板６３が小絞り位置にセットされるとともに、ストップレバー４９が高速シャッタ位置にセットされる。さらにこのとき、発光スイッチ８３は押圧部材３０で押圧されず、発光回路８１はオフ状態となっており、発光ランプ１７は発光していない。この第１撮影モード下でレリーズボタン９が押圧されると、絞り値F１８、シャッタ速度１／１００秒で露光が行われる。なお、このとき、発光ランプ１７が発光していないことから、レンズ付きフイルムユニット２は第１撮影モード（日中撮影モード）であることが認識される。
【００５２】
一方、夜景や室内などで撮影を行う場合には、操作部材１５を第２操作位置にして第２撮影モードで撮影を行う。操作部材１５が第１操作位置から第２操作位置にされることにより、切替部材２９の押圧ピン２９aの押圧により切替リング６８が回動して、絞り切替板６３が大絞り位置に回動されるとともに、ストップレバー４９が低速シャッタ位置に回動される。さらにこのとき、切替部材２９の押圧ピン２９aが押圧部材３０を押圧位置に移動させ、発光回路８１の発光スイッチ８３をオン状態とする。これにより、コンデンサ８６への充電後、発光ランプ１７が発光し、表示窓７を通して外部に露呈される。これにより、発光ランプ１７の発光を確認することにより、レンズ付きフイルムユニット２が第２撮影モード（夜景室内撮影モード）であることが認識される。この第２撮影モード下でレリーズボタン９が押圧されると、絞り値F４．０、シャッタ速度１／４５秒で露光が行われる。そしてこのシャッタレリーズが行われたとき、同時にシンクロスイッチ４８がオン状態となり、発光ランプ１７が点滅する。これによって夜間室内モードでの撮影が行われたことが認識される。
【００５３】
このようにして、周囲の撮影条件と合った撮影モードを選択して撮影を行い、且つ正常な撮影モードで撮影したことを認識することが可能となっており撮影モードを間違えたまま撮影したという失敗に気付かないというミスが確実に防がれる。また、シャッタレリーズで発光ランプ１７が点滅されるので、被写体側の人物がレリーズ動作が行われたことを認識できるという効果もある。
【００５４】
なお、上記実施形態においては、ユニット本体３の前面側から露呈するように表示ランプ１７を配置しているが本発明はこれに限るものではなく、例えばファインダ光学系の中に表示ランプ１７が位置するように配置すれば、ファインダ６を覗いてフレーミングしているとき、同時にこの表示ランプ１7点灯状態も視野に入り、撮影モードの選択状態を認識し、且つ正常な撮影モードで撮影したことを認識することができる。
【００５５】
上記第１の実施形態においては、フラッシュ装置を搭載せず、撮影モードが切り換えられたことを撮影者または被写体側の人物に認識させるための発光手段を設けた構成を例に上げて説明しているが、本発明はこれに限るものではなく、フラッシュ装置を搭載した場合でも、複数の撮影モードのうち、フラッシュ発光を行わない設定の撮影モードが含まれており、このフラッシュ発光を行わない撮影モードが選択されたことを撮影者または被写体側の人物に認識させる構成とすることもできる。以下で説明する本発明の第２実施形態では、複数設定された撮影モードのうち、フラッシュ発光を行わない撮影モードが選択されたことを撮影者または被写体側の人物に認識させる構成としたレンズ付きフイルムユニットを例に上げる。なお、この第２実施形態を実施したレンズ付きフイルムユニットを示す図１０〜１８においては、上記第１の実施形態と同様の部材又は部品を使用したものについては同符号を付して説明を省略する。
【００５６】
図１０は、本実施形態を適用したレンズ付きフイルムユニットの外観形状を示す斜視図である。このレンズ付きフイルムユニット９２は、各種撮影機構が組み込まれたユニット本体９３と、このユニット本体９３の製造時に装填されたフイルムパトローネと、ユニット本体９３の外周に巻き付けられるようにして貼付されるラベル４とからなる。
【００５７】
ユニット本体９３の前面には、撮影レンズ５，ファインダ６，ストロボ発光部９４，撮影モード選択部９５等が設けられている。ユニット本体９３の上面には、レリーズボタン９，カウンタ表示窓１０，充電表示部９６、撮影モード表示部９７等が設けられている。
【００５８】
撮影モード選択部９５は、ユニット本体３の前面に形成された操作開口９８と、この操作開口９８内で移動自在とされた略小判形状の操作部材９９とからなる。図１１に示すように、操作部材９９は、操作開口９８内の下方に位置する第１操作位置（図１１（Ａ））と、第１操作位置から上方に向けてスライドされた第２操作位置（図１１（Ｂ））と、第２操作位置から図中時計方向に回動される第３操作位置（図１１（Ｃ））との間で移動自在とされている。
【００５９】
レンズ付きフイルムユニット２は、操作部材９９が第１操作位置にある際に、ストロボＯＦＦ及び小絞り及び高速シャッタの日中屋外晴天時撮影モード（第１撮影モード）（標準撮影モード）となる。また、操作部材９９が第２操作位置にある際には、ストロボＯＮ及び大絞り及び低速シャッタの夜間室内時ストロボ撮影モード（第２撮影モード）となる。この第２撮影モードでは、ストロボ充電の完了時に、充電表示部９６の奥に設けられた充電表示用発光素子１０１（後述）の光が図示しないライトガイドよって導かれて充電表示部９６から視認可能となる。
【００６０】
操作部材９９が第３操作位置にある際には、ストロボＯＦＦ及び大絞り及び低速シャッタの夜間室内時非ストロボ撮影モード（第３撮影モード）となる。この第３撮影モード下でのシャッタレリーズが行われたときには、撮影モード表示部９７の奥に設けられたモード表示用発光素子１０２（後述）が点滅するように構成されている。
【００６１】
図１２は、ユニット本体９３の構成を示す分解斜視図である。ユニット本体９３は、本体基部２３と、この本体基部２３の前面側に取り付けられるストロボユニット１０４と、撮影モードの切り替えを行う撮影モード切替機構１０５と、本体基部２３の前面側及び背面側に取り付けられる前カバー１０６及び後カバー１０７とからなる。
【００６２】
ストロボユニット１０４は、各種電気部品が取り付けられ、ストロボ回路１２１及び発光回路１２２（図１８参照）が形成された回路基板１０９と、放電管やリフレクタ，拡散板等からなるストロボ発光部９４とから構成されている。また、回路基板１０９には、シャッタレリーズに連動してON状態となり、ストロボ発光を行わせるシンクロスイッチ１１０と、撮影モード選択部９５の操作部材９９の移動によってON／OFFされるスイッチを構成する接点１１１ａ，１１１ｂ，１１２ａ，１１２ｂ（図１３参照）と、電池１１４をストロボ回路に接続する電池接片１１３と、充電表示用発光素子１０１と、モードが取り付けられている。発光素子１０１，１０２としては、発光ダイオード又は豆電球などが用いられる。シンクロスイッチ１１０は、一対の金属接片１１０ａ，１１０ｂからなり、シャッタ羽根３８の開き位置への回動時に蹴飛ばされ、ON状態となる。
【００６３】
本体基部２３の前面中央には、遮光筒３５が設けられている。この遮光筒３５の周囲には、シャッタチャージ機構，シャッタレリーズ機構，フイルム巻上げ機構，フイルム巻止機構，フイルムカウント機構，絞り切替機構，シャッタ速度切替機構，撮影光学系，ファインダ光学系等が組み込まれている。
【００６４】
図１３は、遮光筒３５の周囲に組み込まれたシャッタレリーズ機構，絞り切替機構，シャッタ速度切替機構，撮影光学系及び撮影モード切替機構１０５の構成を示す分解斜視図である。なお、シャッタレリーズ機構及び撮影光学系については、上記第１の実施形態と全く同様で、絞り切替機構及びシャッタ速度切替機構については、大部分の部品構成が上記第１の実施形態と同様の構成となっている。
【００６５】
撮影モード切替機構１０５は、操作部材９９とスライド板１１５とからなる。スライド板１１５は、回路基板１０９及び前カバー１０６の間に挟まれて保持されており、操作部材９９はスライド板１１５に保持されている。さらに、スライド板１１５は、回路基板１０９に対して上述の第１操作位置及び第２操作位置に対応した位置でスライド自在に取り付けられており、操作部材９９は、スライド板１１５に対して第２操作位置と第３操作位置の間で回動自在に取り付けられている。
【００６６】
絞り切替機構及びシャッタ速度切替機構を構成する切替リング６８は、スライド板１１５に一体に形成された押圧ピン１１５ａによって押圧を受けて移動する。操作部材９９を第１操作位置から第２操作位置に移動すると、スライド板１１５も一体となって移動し、押圧ピン９９ａが切替リング６８の従動ピン６８ｄを下方から押圧する。これにより絞り及びシャッタ速度が切り換えられる。
【００６７】
図１４に示すように、第１撮影モードでは、スライド板１１５の押圧ピン１１５ａが切替リング６８の従動ピン６８ｄに接触せず、切替リング６８は初期位置に保持される。よって、第１撮影モードでは、小絞り部６３ａが撮影光軸上にセットされた小絞り状態、ストップレバー４９は高速シャッタ位置にセットされる。そして、図１５に示すように、第２撮影モードでは、操作部材９９が第１操作位置から第２操作位置へと移動するとスライド板１１５も一体となって移動するので、バネ７０の付勢に抗して押圧ピン１１５ａが従動ピン５６ｄを下方から押圧して切替リング６８を図中反時計方向に回動させる。よって、第２撮影モードでは、小絞り部６３ａが退避して大絞り状態、ストップレバー４９は低速シャッタ位置にセットされる。
【００６８】
そして、図１６に示すように、第３撮影モードでは、操作部材９９を第２操作位置から第３操作位置に回動させたときは、スライド板１１５は移動しないので、絞り及びシャッタ速度は変化しない。
【００６９】
図１７には、ストロボ回路１２１及び発光回路１２２を示す。ストロボ回路１２１は、充電回路１２５，トリガー回路１２６，放電管１２７，メインコンデンサ１２８，充電スイッチ１２９，シンクロスイッチ１１０，及び電源電池１３１からなる。充電スイッチ１２９がON状態となると、充電回路１２７が作動して、メインコンデンサ１３０が充電される。メインコンデンサ１３０が充電完了状態になると、充電表示用発光素子１０２が発光する。この状態で、シンクロスイッチ１１０がＯＮ状態となると、トリガー回路１２６が作動しトリガー信号が発信される。このトリガー信号により、メインコンデンサ１２８に蓄電された電荷が放電して、放電管１２７が発光する。なお、このストロボ回路１２１を構成する充電スイッチ１２９は、図１４〜１６に示すように、回路基板１０９に形成された接点１１１ａ，１１１ｂと、これら接点１１１ａ，１１１ｂに対面する位置で操作部材９９の後面に設けられた接片１３２からなる。図１４に示すように、操作部材９９が第１操作位置にあるときには、接点１１１ａ，１１１ｂは、接片１３２と接触しない位置にあり、図１５に示すように操作部材９９が第１操作位置から第２操作位置に移動すると接点１１１ａ，１１１ｂと接片１３２とが接触して充電スイッチ１２９がON状態となる。これによって第２撮影モードが選択されたときには、シャッタレリーズに連動してストロボ発光が行われるストロボON状態ととなる。そして、図１６に示すように、操作部材９９が第２操作位置から第３操作位置に回動すると、接点１１１ａ，１１１ｂは、接片１３２と接触しなくなり、ストロボOFF状態となる。
【００７０】
発光回路１２２は、上記第１の実施形態と同様の構成であり、コンデンサ１３６、負荷抵抗１３７、電源電池１１４，モード表示用発光素子１０２、発光スイッチ１３９、シンクロスイッチ１１０からなる。発光スイッチ１３９は、図１４〜１６に示すように、回路基板１０９に形成された接点１１２ａ，１１２ｂと、操作部材９９の後面に設けられた接片１３２からなる。図１４及び図１５に示すように操作部材９９が第１操作位置及び第２操作位置にあるときには、接点１１２ａ，１１２ｂと接片１３２は接触しない位置にあり、発光スイッチ１３９はOFF状態となっている。そして、操作部材９９が第２操作位置から第３操作位置に回動したとき、接片１３２は、接片１１２ａ，１１２ｂと接触し、発光スイッチ１３９がON状態となる。そしてシャッタ羽根３８の蹴飛ばしによりシンクロスイッチ１１０がON状態になると、モード表示用発光素子１０２が点滅する。
【００７１】
本実施形態のレンズ付きフイルムユニットの各モードにおける設定を表１に示す。
【００７２】
【表１】
2006126769.tif 000003
【００７３】
上記構成の作用について以下に説明する。日中屋外の晴天時などの明るい場所で撮影を行う場合には、操作部材９９を第１操作位置にして第１撮影モード（日中屋外晴天時撮影モード）で撮影を行う。操作部材９９が第１操作位置にされることにより、絞り切替板６３が小絞り位置にセットされるとともに、ストップレバー４９が高速シャッタ位置にセットされる。さらにこのとき、充電スイッチ１２９、発光スイッチ１３９は、OFF状態となっており、ストロボ回路１２１、発光回路１２２はOFF状態となっている。この第１撮影モード下でレリーズボタン９が押圧されると、絞り値F１６、シャッタ速度１／１００秒、且つ発光無しストロボ発光無しで露光が行われる。なお、このとき、モード表示用発光素子１０２が発光せず、ストロボ発光も無いことから、レンズ付きフイルムユニット２は第１撮影モード（日中撮影モード）であることが撮影者又は被写体側の人物に認識される。
【００７４】
一方、夜景・室内で且つ光源がほとんどない状況などで撮影を行う場合には、操作部材９９を第２操作位置にして第２撮影モード（夜間室内ストロボ撮影モード）で撮影を行う。操作部材９９が第１操作位置から第２操作位置にされることにより、絞り切替板６３が大絞り位置に回動されるとともに、ストップレバー４９が低速シャッタ位置に回動される。さらにこのとき、充電スイッチ１２９がON状態となり、ストロボ回路１２１がストロボ充電を開始する。この第２撮影モード下でレリーズボタン９が押圧されると、絞り値F４．６．シャッタ速度１／４５秒、且つストロボ発光有りで露光が行われる。なお、このとき、発光スイッチ１３９がOFF状態となっているので、モード表示用発光素子１０２は発光しない。
【００７５】
そして、夜間・室内で且つ光源がある状況などで撮影を行う場合には、操作部材９９を第３操作位置にして第３撮影モード（夜間室内非ストロボ撮影モード）で撮影を行う。操作部材９９が第２操作位置から第３操作位置にされると、絞り切替板６３は大絞り位置、、ストップレバー４９は低速シャッタ位置のままで、さらにこのとき、充電スイッチ１２９がOFF状態となり、発光スイッチ１３９がON状態となる。この第３撮影モード下でレリーズボタン９が押圧されると、絞り値F４．６．シャッタ速度１／４５秒、且つストロボ発光無しで露光が行われる。そしてこのシャッタレリーズが行われたとき、同時にシンクロスイッチ１１０がON状態となり、モード表示発光素子１０２が点滅する。これによって第３撮影モード（夜間室内非ストロボ撮影モード）での撮影が行われたことが認識される。
【００７６】
このようにして、複数設定された撮影モードのうち、標準撮影モード以外のモードで且つフラッシュ発光の無い撮影モードが選択されたときでも、モード表示発光素子１０２が点滅するので、撮影者又は被写体側の人物がレンズ付きフイルムユニット９２で選択されている撮影モードを確実に認識可能であり、撮影モードを間違えたまま撮影したという失敗に気付かないというミスを確実に防ぐことができる。また、標準撮影モード以外のモードで撮影したことを認識できるので、撮影後に標準撮影モードに戻すことを促すことができるという効果もある。
【００７７】
なお、上記第１及び第２の実施形態においては、複数設定された撮影モードのうち、標準撮影モード以外で、且つフラッシュ発光の無い撮影モードが１つだけ設定されているが、本発明はこれに限らず、標準撮影モード以外で、且つフラッシュ発光の無い撮影モードが複数設定されている場合にも適用することができる。この場合、例えば、図１８に示すレンズ付きフイルムユニット１４２のように、３段階の切り換えを行う撮影モード選択部１４３が設けられている。この撮影モード選択部１４３は、円弧状の開口部１４４と、この開口部１４４に沿って移動する操作部材１４５と、開口部１４４の付近に設けられた指標１４６ａ〜ｃとからなり、指標１４６ａ〜ｃの位置に操作部材１４５の位置を合わせて切り換えを行う。このレンズ付きフイルムユニット１４２では、例えば表２に示すような撮影モードが設定されている。
【００７８】
【表２】
2006126769.tif 000004
【００７９】
なお、この表２に示す例のレンズ付きフイルムユニットでは、フラッシュ装置を搭載せず、絞り及びシャッタ速度の切り替えのみで異なる露出設定を切り換えるようになっている。なお、絞り切替機構及びシャッタ速度切替機構としては、上記実施形態とほぼ同様の構成のものが用いられている。
【００８０】
このレンズ付きフイルムユニット１４２では、例えば図１８に示すようなモード表示部１４８ａ，１４８ｂを設けて、撮影モードに応じた表示を行う。このモード表示部１４８ａ，１４８ｂの奥には、それぞれモード表示用発光素子が設けられており、操作部材１４５の操作に応じて切り換えられる発光回路が構成されている。このような構成でレンズ付きフイルムユニット１４２を第１撮影モード（日中屋外晴天時撮影モード）としたときには、図１８（A)に示すように、モード表示部１４８ａ，１４８ｂでは発光を行わず、第２撮影モード（曇り夕方時撮影モード）としたときには、図１８（B）に示すように、一方のモード表示部１４８ａに設けられた発光素子のみを点滅させ、第３撮影モード（室内夜景時撮影モード）としたときには、図１８（C)に示すように、モード表示部１４８ａ，１４８ｂに設けられた発光素子をともに点滅させる。このように撮影モードに応じて点滅させる発光素子の個数を切り換えるようにすれば、上記実施形態と同様、それぞれの撮影モードを認識可能であり、誤った撮影モードの選択に対応することができる。
【００８１】
なお、レンズ付きフイルムユニット１４２のモード表示部の形態としては、これに限らず、モード表示部の個数は１個だけにして撮影モードに応じて発光素子の点滅回数を切り換えるようにしてもよい。この場合、例えば第１撮影モード（日中屋外晴天撮影モード）としたときには、図１９（A)に示すように、モード表示部１４９では発光を行わず、第２撮影モード（曇り夕方時撮影モード）としたときには、図１９（B）に示すように、モード表示部１４９に設けられた発光素子を２回点滅させ、第３撮影モード（室内夜景時撮影モード）としたときには、図１９（C)に示すように、モード表示部１４９に設けられた発光素子を４回点滅させる。
【００８２】
あるいは、図２０に示すように、異なる発光色で発光する発光素子を設けた複数のモード表示部１５１ａ，１５１ｂから構成するようにしてもよい。この場合、例えばモード表示部１５１ａの奥には緑色に発光する発光素子を、モード表示部１５１ｂの奥には橙色に発光する発光素子を設ける。そして、第１撮影モード（日中屋外晴天撮影モード）としたときには、図２０（A)に示すように、モード表示部１５１ａ，１５１ｂでは発光を行わず、第２撮影モード（曇り夕方時撮影モード）としたときには、図２０（B）に示すように、一方のモード表示部１５１ａに設けられた緑色の発光素子を点滅させ、第３撮影モードとしたときには、図２０（C)に示すように、モード表示部１５１ｂに設けられた橙色の発光素子を点滅させるようにすればよい。さらに、第２撮影モードと第３撮影モードとで、発光色とともに点滅回数にも差をつけるようにすれば、より認識しやすくなる。
【００８３】
さらに、上記実施形態及びその変形例で説明した構成に加えて、モード選択時にモード表示部を発光状態とし、そしてシャッタレリーズに発光状態から点滅状態に切り換わるようにしてもよい。これによって、発光することで先ず注意を引き、さらに点滅することで撮影者又は被写体側の人物に知らせることができるので、選択された撮影モードをより強く認識させることができる。
【００８４】
さらにまた、上記実施形態においては、レンズ付きフイルムユニットの上面、又は前面に撮影モードを示す発光手段などの表示部を設けているが、本発明はこれに限らず、撮影者側及び被写体側の両方から視認可能な位置に設けられていることが好ましく、例えば側面や底面などに設けてもよい。あるいは、表示部を撮影者側から視認可能な位置と、被写体側から視認可能な位置の両方に設けるようにしてもよい。
【００８５】
また、上記実施形態では、レンズ付きフイルムユニットを例に上げて説明しているが、本発明はこれに限定されず、ピント調節機構などを簡略化し、且つフイルム交換が可能な簡易型のカメラでもよい。さらにまた、上記実施形態においては、日中撮影モード（標準撮影モード）と、夜景室内撮影モードとを切り替えるモード切替設定となっているが本発明はこれに限るものではなく、標準撮影モードと、この標準撮影モードとは露出設定の異なる撮影モードとからなる複数の撮影モードが設定されているものであればよい。
【図面の簡単な説明】
【００８６】
【図１】本発明の第１実施形態を適用したレンズ付きフイルムユニットの日中撮影モードの状態を示す外観斜視図である。
【図２】レンズ付きフイルムユニットの夜間室内撮影モードの状態を示す外観斜視図である。
【図３】ユニット本体の構成を示す分解斜視図である。
【図４】絞り切 替機構及びシャッタ速度切替機構、および発光ユニットの構成を示す分解斜視図である。
【図５】日中撮影モードにおけるシャッタ速度切替機構の切替位置を示す説明図である。
【図６】夜間撮影モードにおけるシャッタ速度切替機構の切替位置を示す説明図である。
【図７】日中撮影モードにおける絞り切替機構の絞り位置を示す説明図である。
【図８】夜間撮影モードにおける絞り切替機構の絞り位置を示す説明図である。
【図９】発光回路の構成を示す回路図である。
【図１０】本発明の第２実施形態を適用したレンズ付きフイルムユニットの外観斜視図である。
【図１１】各撮影モードが選択されたときの操作部材の位置を示す説明図である。
【図１２】ユニット本体の構成を示す分解斜視図である。
【図１３】絞り切替機構及びシャッタ速度切替機構、およびストロボユニットの構成を示す分解斜視図である。
【図１４】日中屋外晴天時撮影モードにおける操作部材の切替位置を示す説明図である。
【図１５】屋外夜間時ストロボ撮影モードにおける操作部材の切替位置を示す説明図である。
【図１６】屋外夜間時非ストロボ撮影モードにおける操作部材の切替位置を示す説明図である。
【図１７】ストロボ回路及び発光回路の構成を示す回路図である。
【図１８】第１実施形態の第１変形例を示す説明図である。
【図１９】第１実施形態の第２変形例を示す説明図である。
【図２０】第１実施形態の第３変形例を示す説明図である。
【符号の説明】
【００８７】
２，９２，１４２  レンズ付きフイルムユニット
８，９５，１４３  撮影モード選択部
１５，９９，１４５  操作部材
１７  発光ランプ
２９  切替部材
６３  絞り切替板
６８  切替リング
１０２  モード表示用発光素子
９６，９７，１４８ａ，１４８ｂ，１４９，１５１ａ，１５１ｂ  表示部
【図１】
2006126769.tif 000005
【図２】
2006126769.tif 000006
【図３】
2006126769.tif 000007
【図４】
2006126769.tif 000008
【図５】
2006126769.tif 000009
【図６】
2006126769.tif 000010
【図７】
2006126769.tif 000011
【図８】
2006126769.tif 000012
【図９】
2006126769.tif 000013
【図１０】
2006126769.tif 000014
【図１１】
2006126769.tif 000015
【図１２】
2006126769.tif 000016
【図１３】
2006126769.tif 000017
【図１４】
2006126769.tif 000018
【図１５】
2006126769.tif 000019
【図１６】
2006126769.tif 000020
【図１７】
2006126769.tif 000021
【図１８】
2006126769.tif 000022
【図１９】
2006126769.tif 000023
【図２０】
2006126769.tif 000024